(57)【特許請求の範囲】
【請求項１】
台座から前方に隆起する吊下部を有し、この吊下部の先端に装飾片を吊下げる装身具において、前記台座は、底部が前方に突設して当接受け部を形成すると共に、前記装飾片は、上方に連結部と、下方に当接部を備え、前記連結部を前記吊下部に連結して前記装飾片を吊下げると、前記当接部が前記当接受け部と当接して、前記装飾片が左右方向に揺動し、
前記当接受け部は、前記台座を底部方向から見た場合には、略半円形状の中央が凹んだ形状、略半円形状、平坦な四角形状のいずれかの形状であることを特徴とする揺動装身具。
【請求項２】
前記連結部は、前記装飾片の上方略中央に取り付けられる輪環であることを特徴とする請求項１に記載の揺動装身具。
【請求項３】
前記当接部は、前記装飾片の下方略中央に取り付けられる突起あるいは棒体であることを特徴とする請求項１又は２に記載の揺動装身具。
【請求項４】
前記装身具は、ペンダント、ピアス、イアリング、ブローチのいずれかであることを特徴とする請求項１から３の何れかに記載の揺動装身具。
【発明の詳細な説明】
【技術分野】
【０００１】
本発明は、ダイアモンド等の宝石を揺動可能に吊下げて形成する揺動装身具に関する。
【背景技術】
【０００２】
本願の出願人は、図８に示すように、上方にチェーン連結部１４２を有した台座（ペンダント本体）の背面にテーパー状の定着部１４４を形成し、正面略中央には、先端に吊下孔１４６と後方に湾曲部１４７を設けた吊下部１４３を形成し、該吊下孔１４６には宝石１５０を取り付けた宝石用台座１２０を揺動可能に吊下げることを特徴とする装身具用ペンダント１４０（以下、「揺れるペンダント」と省略する。）について特許出願（特願２００７−１７０７０８）をしている。
【０００３】
このような「揺れるペンダント」では、使用中の身体の動きにより宝石が微妙に揺動し、様々な角度の光が入射し、吊り下げられた宝石は十分に輝くことができる。また、「揺れるペンダント」では、ネックレスチェーンにより首からぶら下げた状態で宝石が前後左右に揺れても、台座の定着部が胸元と接触して安定した使用が可能である。
【０００４】
しかし、「揺れるペンダント」では、吊り下げられた宝石が揺動するいずれの方向においても台座（ペンダント本体）と接触しないように、宝石（宝石を取り付けた石座）と台座との間に十分な空間を確保しなければならず、吊下部を前方に大きく隆起させたり、台座後方に大きく窪んだ湾曲部を形成する等の特別の工夫が必要となる。よって、装身具としてはデザインが種々制約されてしまうという不都合が生じていた。
【０００５】
一方、吊り下げられた宝石が十分に輝くという目的のためには、宝石が前後左右に自由に揺れなくても、左右方向にわずかに揺れれば足りるということは経験的に証明されている。
【特許文献１】特開２００９−２３３０９１公報
【発明の開示】
【発明が解決しようとする課題】
【０００６】
本発明は、このような従来技術の課題を解決し、前方に高く隆起する吊下部や後方に大きく窪む湾曲部を形成せず、身体の動きに合わせ宝石が左右方向に微妙に揺動する揺動装身具を提供することを目的とする。
【課題を解決するための手段】
【０００７】
上記課題を解決するために請求項１に記載された本発明は、台座から前方に隆起する吊下部を有し、この吊下部の先端に装飾片を吊下げる装身具において、前記台座は、底部が前方に突設して当接受け部を形成すると共に、前記装飾片は、上方に連結部と、下方に当接部を備え、前記連結部を前記吊下部に連結して前記装飾片を吊下げると、前記当接部が前記当接受け部と当接して、前記装飾片が左右方向に揺動し、前記当接受け部は、前記台座を底部方向から見た場合には、略半円形状の中央が凹んだ形状、略半円形状、平坦な四角形状のいずれかの形状である揺動装身具であることを特徴とする。
【０００８】
また、請求項２に記載された本発明は、請求項１に記載の揺動装身具において、前記連結部は、前記装飾片の上方略中央に取り付けられる輪環であることを特徴とする。さらに、請求項３に記載された本発明は、請求項１又は２に記載の揺動装身具において、前記当接部は、前記装飾片の下方略中央に取り付けられる突起あるいは棒体であることを特徴とする。
【００１０】
また、本発明においては、前記装身具が、ペンダント、ピアス、イアリング、ブローチのいずれかであることが好ましい。
【発明の効果】
【００１１】
このような揺動装身具用によれば、身につける者のわずかな体の動きがあっても、吊り下げられた宝石は左右方向に微妙に揺動し十分な輝きを発揮できる。また、デザイン上の制約がなくなり、「揺れるペンダント」について種々のバリエーションに富んだ美しくかつ自然なデザインを提供することができる。
【発明を実施するための最良の形態】
【００１２】
以下、本発明にかかる揺動装身具の好ましい実施形態を図面により詳細に説明する。図１において、（ａ）は、第１装身具用ペンダントの正面図、（ｂ）は、その側面図、図２において、（ａ）（ｂ）（ｃ）は、それぞれ第１装身具用ペンダントの底部のパターンを示す説明図、図３は、第１装身具用ペンダントの使用状態を示す説明図である。
【００１３】
第１装身具用ペンダント１０は、例えば、金、プラチナ、シルバー、真鍮等の金属を素材として、ロストワックスキャスティングやプレス切断加工により製造されるもので、チェーン連結部１２を備えた台座１４に装飾片１６を吊り下げて構成される。
【００１４】
台座１４は、正面方向から見た場合には、例えば、略涙形状の板体であり、装着時にその背面が胸元と接する平坦な定着部１５を有する。そして、台座１４の上方略中央には、台座１４と一定成型され、装飾片１６を吊下げることができる吊下部１８が形成され、また、側面方向から見た場合には、台座１４の上方にはネックレスチェーン２９を挿通するためのチェーン連結部１２と、吊下部１８の先端には装飾片１６の輪環２１を連結する吊下孔２０が形成されている、なお、吊下部１８は台座１４の前方向で隆起しかつ垂下する全体としては象の鼻のような形状である。
【００１５】
また、台座１４の底部２２は、側面方向から見た場合には、先端に従ってやや肉薄となりながら前方に突設し、その先端面には宝石２５を支持する爪部２３との当接受け部２４が形成される、底部方向から見た場合には、この当接受け部２４は中央が凹んで回転凹部２８を形成しつつ、全体では半円形状をなしている。
【００１６】
装飾片１６は、ダイアモンド等の宝石２５を円形枠体の石座２６に取り付けた後、上下略中央の２箇所に設けられた爪部２３を押し倒して宝石２５を固定し、また、上方の爪部２３のさらに上方には輪環２１が取り付けられて連結部となり、この輪環２１は吊下部１８の吊下孔２０に連結されることで、吊下部１８に揺動可能に取り付けられる。また、下方の爪部２３のさらに下方には突起２７が形成され、当接受け部２４の回転凹部２８に嵌合することができる。なお、宝石２５のキューレット（底部先端部分）は、石座２６より露出することで、宝石２５はより外光を取り込むことができるが、必ずしも露出しなくても良い。
【００１７】
このような第１装身具用ペンダント１０をネックレスチェーン２９により首からぶら下げると、台座１４の定着部１５が胸元と接触することで、台座１４は胸元で安定する。そして、装飾片１６は、上方では吊下孔２０と輪環２１が連結され、下方では爪部２３の突起２７が回転凹部２８内で回転可能であるから、身に付ける者の動きを微妙に反映して、約９０度まで左右方向に揺動することができる。したがって、宝石２５は異なる角度より外光を取り込んで、きらめきながら強く輝くことができる。
【００１８】
さらに、第１装身具用ペンダント１０の装着中に前かがみの姿勢をとったような場合には、爪部２３の突起２７は回転凹部２８から外れ、装飾片１６は前後方向にも揺動することができる。その場合においても、輪環２１と爪部２３が装飾片１６の上下方向略中央に位置しているため、宝石２５の自重で爪部２３は回転凹部２８に自然に戻ることができる。
【００１９】
なお、第１装身具用ペンダント１０における当接受け部２４は、中央が凹んだ略半円形状に限られるわけではなく、中央が凹んでいない略半円形状、平坦な四角形状等、種々の形状を採用することができる。また、当接受け部２４の当接面の角度は垂直面を形成しても斜面状を形成しても差し支えない。
【００２０】
図４において、（ａ）は、第２装身具用ペンダントの正面図、（ｂ）は、その側面図、図５は、第２装身具用ペンダントの底部を示す説明図、図６は、第１装身具用ペンダントの使用状態を示す説明図である。
【００２１】
第２装身具用ペンダント３０は、例えば、金、プラチナ、シルバー、真鍮等の金属を素材として、ロストワックスキャスティングやプレス切断加工により製造されるもので、チェーン連結部３２を備えた台座３４に宝石４５を吊り下げて構成される。
【００２２】
台座３４は、正面方向から見た場合には、例えば、略楕円形状の板体であり、装着時にその背面が胸元と接する平坦な定着部３５を有する。そして、台座３４の上方略中央には、台座と一定成型され、装飾片３６を吊下げることができる吊下部３８が形成され、また、側面方向から見た場合には、台座３４の上方にはネックレスチェーン４９を挿通するためのチェーン連結部３２と、吊下部３８の先端には装飾片３６の輪環４１を連結する吊下孔４０が形成されている、なお、吊下部３８は台座３４の前方向で隆起しかつ全体としては垂下する象の鼻のような形状である。
【００２３】
また、台座３４の底部４２は、側面方向から見た場合には、先端に従ってやや肉薄となりながら前方に突出して当接受け部４４となり、底部方向から見た場合には、この当接受け部４４の略中央には、宝石４５を支持する下方の爪部４３Ｂに取り付けられる棒体４３Ｃが挿通される回転穴４７が開口される。なお、この当接受け部４４の形状は全体では半円形状をなしているが、特に限定はない。
【００２４】
装飾片３６は、ダイアモンド等の宝石４５を円形枠体の石座４６に取り付けた後、上下２箇所に設けられた爪部４３Ａ、４３Ｂを押し倒して宝石４５を固定し、また、上方の爪部４３Ａには輪環４１が取り付けられて、この輪環４１が吊下部３８の吊下孔４０に連結されることで、吊下部３８に揺動可能に取り付けられる。また、下方の爪部４３Ｂには、下方向に延設される棒体４３Ｃが取り付けられ、当接受け部４４の回転穴４７に回転自在に挿通される。なお、宝石４５の底部先端は、石座４６より露出することで、宝石４５に外光をより入射させることができるが、必ずしも露出しなくても良い。
【００２５】
このような第２装身具用ペンダント３０をネックレスチェーン４９により首からぶら下げると、台座３４の定着部３５が胸元と接触することで、台座３４は胸元で安定する。そして、装飾片３６は、上方では吊下孔４０と輪環４１が連結され、下方では爪部４３Ｂの棒体４３Ｃが回転穴４７において回転可能であるから、身に付ける者の動きを微妙に反映して、約９０度まで左右方向に揺動することができる。したがって、宝石４５は異なる角度より外光を取り込んで、きらめきながら強く輝くことができる。
【００２６】
図６において、（ａ）は、第１装身具用ピアスの正面図、（ｂ）は、その側面図である。
【００２７】
第１装身具用ピアス５０は、例えば、金、プラチナ、シルバー、真鍮等の金属を素材として、ロストワックスキャスティングやプレス切断加工により製造されるもので、通し針部６８を備えた台座５４に装飾片５６を吊下げ、また通し針部６８を耳たぶに固定するキャッチ６９にて構成される。
【００２８】
台座５４は、装着時にその背面が耳たぶと接する平坦な定着部５５を有する。そして、台座５４の上方略中央には、台座５４と一定成型され、装飾片５６を吊下げることができる吊下部５８が形成され、また、台座５４の背面には耳穴に挿通するための通し針６８と、吊下部５８の先端には装飾片５６の輪環６１を連結する吊下孔６０が形成されている、なお、吊下部５８は台座５４の前方で隆起しかつ垂下する全体としては象の鼻のような形状である。
【００２９】
また、台座５４の底部６２は、側面方向から見た場合には、先端に従ってやや肉薄となりながら前方に突出して当接受け部６４となり、底部方向から見た場合には、この当接受け部６４の略中央には、宝石６５を支持する下方の爪部６３Ｂに取り付けられる棒体６３Ｃが挿通される回転穴が形成される（図示せず。）。なお、この当接受け部６４の全体形状には、特に限定がない。
【００３０】
装飾片５６は、ダイアモンド等の宝石６５を円形枠体の石座６６に取り付けた後、上下２箇所に設けられた爪部６３Ａ、６３Ｂを押し倒して宝石６５を固定し、また、上方の爪部６３Ａには輪環６１が取り付けられて、この輪環６１が吊下部５８の吊下孔６０に連結されることで、吊下部５８に揺動可能に取り付けられる。また、下方の爪部６３Ｂには、そのまま下方向に延設される棒体６３Ｃが取り付けられ、当接受け部６４の回転穴に回転自在に挿通される。なお、宝石６５の底部は、石座６６の枠体より露出することで、宝石６５に外光をより入射させることができるが、必ずしも露出しなくても良い。
【００３１】
このような第１装身具用ピアス５０は通し針６８を耳穴に挿通し、キャッチ６９により取り付けると台座５４が耳たぶで安定する。そして、装飾片５６は、上方では吊下孔６０に輪環６１が連結され、下方では爪部６３Ｂの回転軸６３Ｃが回転穴において回転可能であるから、身に付ける者の動きを微妙に反映して、約９０度まで左右方向に揺動することができる。したがって、種々の角度より外光が入射し、宝石がきらめきながら強く輝くことができる。
【００３２】
本発明は上記の実施形態に限定されず、種々変更して実施することが可能である。例えば、台座の形状は、略涙形状や略楕円形状の板体に限定して説明したが、略ドーナツ形状や略ハート形状、その他の装飾的形状であっても差し支えなく、前方に隆起する吊下部に装飾片が揺動可能に吊り下げられる限り、板体に限られるわけではない。
【００３３】
また、本発明が適用できる典型的な装身具として、ペンダントやピアスの実施例について説明したが、本発明はイアリングやブローチについても適用可能である。
【図面の簡単な説明】
【００３４】
【図１】（ａ）は、第１装身具用ペンダントの正面図、（ｂ）は、その側面図である。
【図２】（ａ）（ｂ）（ｃ）は、それぞれ第１装身具用ペンダントの底部のパターンを示す説明図である。
【図３】第１装身具用ペンダントの使用状態を示す説明図である。
【図４】（ａ）は、第２装身具用ペンダントの正面図、（ｂ）は、その側面図である。
【図５】第２装身具用ペンダントの底部を示す説明図である。
【図６】第２装身具用ペンダントの使用状態を示す説明図である。
【図７】（ａ）は、第１装身具用ピアスの正面図、（ｂ）は、その側面図である。
【図８】従来の揺れる装身具用ペンダントを示す説明図である。
【符号の説明】
【００３５】
１０  第１装身具用ペンダント
１２  チェーン連結部
１４  台座
１５  定着部
１６  装飾片
１８  吊下部
２０  吊下孔
２１  輪環
２２  底部
２３  爪部
２４  当接受け部
２５  宝石
２６  石座
２７  突起
２８  回転凹部
２９  ネックレスチェーン
３０  第２装身具用ペンダント
３２  チェーン連結部
３４  台座
３５  定着部
３６  装飾片
３８  吊下部
４０  吊下孔
４１  輪環
４２  底部
４３Ｂ  爪部
４３Ｃ  棒体
４４  当接受け部
４５  宝石
４６  石座
４７  回転穴
４９  ネックレスチェーン
５０  第１装身具用ピアス
５４  台座
５５  定着部
５６  装飾片
５８  吊下部
６０  吊下孔
６１  輪環
６２  底部
６３Ａ  爪部
６３Ｂ  爪部
６３Ｃ  棒体
６３Ｃ  回転軸
６４  当接受け部
６５  宝石
６６  石座
６８  通し針部
６９  キャッチ
１２０  宝石用台座
１４０  装身具用ペンダント
１４２  チェーン連結部
１４３  吊下部
１４４  定着部
１４６  吊下孔
１４７  湾曲部
１５０  宝石
【図１】
0005536482.tif 000002
【図２】
0005536482.tif 000003
【図３】
0005536482.tif 000004
【図４】
0005536482.tif 000005
【図５】
0005536482.tif 000006
【図６】
0005536482.tif 000007
【図７】
0005536482.tif 000008
【図８】
0005536482.tif 000009